(57)【要約】【課題】  魚の当たりがあると、スプールの回転と共に、コイル部材が永久磁石の磁場において回転して給電し、発光部材を直ちに発光させ、魚釣り人に対して魚の当たりを告知する、当たり告知装置を備えた魚釣り用リールを提供する。【解決手段】  突出するシャフトを有する本体と、該シャフトに回転可能に設けられると共に、魚釣り糸を巻き取るためのスプールと、該スプールと連動しているハンドルとを備えるリールにおいて、前記スプールに少なくとも１つの発光部材が設けられ、同軸に該スプールの内部におけるシャフトの周囲に該発光部材と電気接続するコイル部材が巻装されると共に、前記スプールは、該シャフトと対応し、該コイル部材と間隔をおいて前記シャフトに永久磁石が設けられる当たり告知装置を有することを特徴とする。【選択図】  図１
0003137902.tif 000002
【実用新案登録請求の範囲】
【請求項１】
突出するシャフトを有する本体と、該シャフトに回転可能に設けられると共に、釣り糸を巻き取るためのスプールと、該スプールと連動しているハンドルとを備えるリールにおいて、
前記スプールに少なくとも１つの発光部材が設けられ、同軸に該スプールの内部におけるシャフトの周囲に該発光部材と電気的に接続するコイル部材が巻装されると共に、前記スプールは、該シャフトと対応し、該コイル部材と間隔をおいて前記シャフトに永久磁石が設けられた当たり告知装置を有することを特徴とする魚釣り用リール。
【請求項２】
前記発光部材が発光ダイオードであることを特徴とする請求項１に記載の魚釣り用リール。
【請求項３】
前記スプールの内部に更に前記コイル部材を収容するための収容部が設けられると共に、該スプールの外周壁に、前記発光部材を嵌合するための少なくとも１つの孔が形成されることを特徴とする請求項１又は請求項２に記載の魚釣り用リール。
【考案の詳細な説明】
【技術分野】
【０００１】
本考案は、特に、魚のアタリを発光手段により知らせるようにした、当たりを告知する機能が備えられた魚釣り用リールに関するものである。
【背景技術】
【０００２】
魚釣りをより楽しむため、釣果を飛躍的に伸ばすためには、通常、釣り糸をコントロールできるリールを用いるが、このようなリールは、竿に固定され、魚の当たりがあると、スプールが自動的に回転して釣り糸が繰り出される仕組みとなっているので、釣り人は、気楽に魚釣りをすることができる。
【考案の開示】
【考案が解決しようとする課題】
【０００３】
しかしながら、前記竿や従来のリールには如何なる当たりを告知する機能も備えられていないので、例えば、夜間など視認が難しい状況下では、魚がヒットした時、竿の撓りや、前記リールから釣り糸が送り出されていることに気付かず、魚に逃げられてしまうことがよくあった。
また、魚が掛かった時にすぐ気付くように、前記竿の先端付近に鈴を取り付ける方法もあるが、そのような鈴は風でも鳴ってしまうので、釣り人に魚の当たりを確実に知らせることができない。
【０００４】
そこで、案出されたのが本考案であって、特に、魚の当たりがあった時にすぐに発光して、魚釣りをしている人に魚の当たりを告知する魚釣り用リールを提供することを目的としている。
【課題を解決するための手段】
【０００５】
本願の請求項１の考案は、突出するシャフトを有する本体と、該シャフトに回転可能に設けられると共に、釣り糸を巻き取るためのスプールと、該スプールと連動しているハンドルとを備えるリールにおいて、前記スプールに少なくとも１つの発光部材が設けられ、同軸に該スプールの内部におけるシャフトの周囲に該発光部材と電気接続するコイル部材が巻装されると共に、前記スプールは、該シャフトと対応し、該コイル部材と間隔をおいて前記シャフトに永久磁石が設けられる当たり告知装置を有することを特徴とする魚釣り用リールを提供する。
【０００６】
本願の請求項２の考案は、前記発光部材が発光ダイオードであることを特徴とする請求項１に記載の魚釣り用リールを提供する。
【０００７】
本願の請求項３の考案は、前記スプールの内部に更に前記コイル部材を収容するための収容部が設けられると共に、該スプールの外周壁に、前記発光部材を嵌合するための少なくとも１つの孔が形成されることを特徴とする請求項１又は請求項２に記載の魚釣り用リールを提供する。
【考案の効果】
【０００８】
本考案は上述した課題を解決するものであり、魚が掛かった時にスプールの回転と共に釣り糸が繰り出されると共に、コイル部材が永久磁石の磁場において回転して給電することにより、前記発光部材を発光させて優れた視覚的告知効果を発揮させることができるので、より実用性に優れた魚釣り用リールを提供することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係る魚釣り用リールの第１実施例の斜視図であり、図２は本考案に係る魚釣り用リールにおけるスプールと当たり告知装置の部分側面断面図であり、図３は本考案に係る魚釣り用リールにおけるスプールの斜視図であり、図４は本考案に係る魚釣り用リールにおけるスプールと当たり告知装置の分解斜視図であり、図５は本考案に係る魚釣り用リールの第２実施例の斜視図であり、図６は本考案に係る魚釣り用リールの第３実施例の斜視図である。
【００１１】
図１及び図２に示すように、本考案に係る魚釣り用リールは、突出するシャフト１１を有する本体１０と、該シャフト１１に回転可能に設けられ、魚釣り糸（図示せず）を巻き取るためのスプール１２と、該スプール１２と連動しているハンドル１４とを備える。
【００１２】
更に、図３及び図４に示すように、前記魚釣り用リールは、前記スプール１２に設けられる、少なくとも１つの例えば発光ダイオードＬＥＤなどの発光部材２２と、同軸に該スプール１２の内部におけるシャフト１１の周囲に巻装されるコイル部材２４と、該コイル部材２４と一定の間隔をおいて、該シャフト１１に設けられるリング状の永久磁石２６とからなる、当たり告知装置２０を有する。
【００１３】
また、前記スプール１２の内部には、更に前記コイル部材２４を収容するための収容部１２２が設けられると共に、前記永久磁石２６の外周壁とコイル部材２４の内周壁との間に一定の間隙が形成される。
更に、前記スプール１２の外周壁に、前記発光部材２２を嵌合するための少なくとも１つの孔１２４が形成され、該各発光部材２２には夫々コイル部材２４の両極と電気的に接続する２つのリード２２２が設けられる。
【００１４】
この構造によれば、魚釣り糸が引っ張られ、前記スプール１２がシャフト１１に対して回転した時、前記コイル部材２４が永久磁石２６の磁場において前記スプール１２と共に回転するので、これにより前記発光部材２２が発光され、魚釣り人に対して、魚釣り糸が引っ張られてスプール１２が回転していることを知らせることができ、また、特に夜間においては、前記発光部材２２が発する光が昼間よりも見やすいので、視覚的効果が顕著に現れ、より明確な告知効果を提供することができる。
更に、前記発光部材２２が発する光は、リールが回転している時に電飾効果も提供できるので、より魚釣りを楽しむことができる。
【００１５】
更にまた、前記図２乃至図４に示す当たり告知装置２０は、図５及び図６に示すように、図１のリールとは異なるタイプのリールにも適用できる。
この場合、スプール１２，１２Ａ，１２Ｂがシャフト１１に対して回転した時、前記コイル部材２４も永久磁石２６の磁場において回転することから、前記発光部材２２が発光させられ、当たり告知効果を提供することができる。
【産業上の利用可能性】
【００１６】
本考案は上記の構成を有するので、魚の当たりがあった時に、スプールの回転と共に、前記永久磁石の周りに位置するコイル部材がその磁場において回転するので、前記発光部材をすぐに発光させ、魚釣り人に魚の当たりを告知する当たり告知装置を有する魚釣り用リールを提供できる。
【図面の簡単な説明】
【００１７】
【図１】本考案に係る魚釣り用リールの第１実施例の斜視図である。
【図２】本考案に係る魚釣り用リールにおけるスプールと当たり告知装置の部分側面断面図である。
【図３】本考案に係る魚釣り用リールにおけるスプールの斜視図である。
【図４】本考案に係る魚釣り用リールにおけるスプールと当たり告知装置の分解斜視図である。
【図５】本考案に係る魚釣り用リールの第２実施例の斜視図である。
【図６】本考案に係る魚釣り用リールの第３実施例の斜視図である。
【符号の説明】
【００１８】
１０      本体   
１１      シャフト
１２      スプール
１２Ａ    スプール
１２Ｂ    スプール
１２２    収容部
１２４    孔     
１４      ハンドル
２０      当たり告知装置       
２２ 発光部材
２２２      リード 
２４ コイル部材
２６ 永久磁石
【図１】
0003137902.tif 000003
【図２】
0003137902.tif 000004
【図３】
0003137902.tif 000005
【図４】
0003137902.tif 000006
【図５】
0003137902.tif 000007
【図６】
0003137902.tif 000008